(57)【要約】【課題】ポスター等の展示物を裏面を背にして店舗の壁面等に貼り付けるときだけでなく、店舗の窓ガラス等に店内側から表面を背にして貼り付けるときでも、その紫外線カット機能を発揮できる展示用シートを提供する。【解決手段】透明な紫外線カットフィルム１２の両面に、透明かつ、粘着力に優れ剥離しやすい粘着剤が塗布された貼着層１６を有し、未使用状態では、該貼着層１６を保護するための保護シート１４が貼着層１６に重ねられた構造の展示用シート１０とする。【選択図】図１
0003121053.tif 000002
【実用新案登録請求の範囲】
【請求項１】
紫外線カット機能を有する透明な樹脂フィルムの両面に透明な粘着剤からなる貼着層が設けられると共に前記貼着層上に透明な貼着層保護シートが剥離可能に貼付されてなることを特徴とする展示用シート。
【請求項２】
前記樹脂フィルムの全面に前記貼着層が設けられていることを特徴とする請求項１に記載の展示用シート。
【請求項３】
前記貼着層が予め所定形状に加工された前記樹脂フィルムの外周縁部に帯状に設けられていることを特徴とする請求項１に記載の展示用シート。
【考案の詳細な説明】
【技術分野】
【０００１】
本考案は、展示用シートに関し、更に詳しくは、ポスター、写真等を展示する場合に、これら展示物を紫外線による色褪せから保護しながら展示することができる展示用シートに関するものである。
【背景技術】
【０００２】
従来より、店舗などで宣伝広告用として、あるいは商品として展示されるポスター、ブロマイド、写真の展示物は、室内や店頭等に貼り付けて展示されるが、破損、汚れ等から保護するために展示物を透明な保護シートで覆って展示している場合が多い。
【０００３】
その例として、特許文献１に示されるような、樹脂フィルムの周囲に帯状で且つロの字状に接着剤を塗布し、壁面と保護シートの間に展示物を挟み込んで保護しながら展示するものが知られている。
【０００４】
しかし、上記のような保護シートにより展示物を保護しても、破損、汚れ等からは保護できるが、紫外線による褪色が生じてしまうという問題があった。これでは、展示物が商品であれば商品価値が無くなってしまうし、広告物であれば非常に見苦しく店舗の美感を損ねることとなる。
【０００５】
このような場合には、上記の特許文献１に記載の保護シートが紫外線を遮断する透明フィルムであれば、破損、汚れを防止すると同時に、展示物の表面が保護シートで覆われるため紫外線による色褪せも防止できる。
【０００６】
【特許文献１】登録実用新案第３０６０３２６号公報
【考案の開示】
【考案が解決しようとする課題】
【０００７】
しかしながら、小売店などの店舗おいては、来店客に対する店内での宣伝広告用のポスター等は、当然店内の壁面等に裏面を背にして貼り付けられる。これに対し、店外を通行する人々に対して宣伝広告を行う場合には、店外の壁面等に上記と同様に裏面を背にして貼り付ける場合もあるが、ポスター等を透明な店舗の窓ガラス等を通して表示するため、その表面を背にして店内側から貼り付ける場合が非常に多い。
【０００８】
このような場合、図４に示すように、前述した紫外線カット機能を有する特許文献１に記載の保護シート４０を用いてポスター４２等を掲示するには、その裏面から保護シート４０で覆わなければならず、窓ガラス４４等を通じて入ってくる紫外線を防止することはできないため、その色褪せを防止することはできなかった。
【０００９】
そこで、本考案が解決しようとする課題は、ポスター、写真等の展示物を裏面を背にして貼り付け展示する時だけでなく、窓ガラス等の透明な面に表面を背にして貼り付け展示する場合でも、紫外線をカットし、展示物の紫外線による色褪せを防止することができる展示用シートを提供することにある。
【課題を解決するための手段】
【００１０】
上記課題を解決するために本考案に係る展示用シートは、紫外線カット機能を有する透明な樹脂フィルムの両面に透明な粘着剤からなる貼着層が設けられると共に前記貼着層上に透明な貼着層保護シートが剥離可能に貼付されてなることを要旨とするものである。  
【００１１】
また、請求項２に記載の考案は、請求項１に記載の展示用シートであって、前記樹脂フィルムの全面に前記貼着層が設けられていることを要旨とするものである。
【００１２】
さらに、請求項３に記載の考案は、請求項１に記載の展示用シートであって、前記貼着層が予め所定形状に加工された前記樹脂フィルムの外周縁部に帯状に設けられていることを要旨とするものである。
【考案の効果】
【００１３】
本考案に係る展示用シートによれば、紫外線カット機能を有した樹脂フィルムの両面に貼着層が設けられていることから、展示物を壁面等に裏面を背にして貼り付ける場合だけでなく、透明な窓ガラス等に表面を背にして貼り付ける場合においても展示物の表面への紫外線を遮断し、展示物の色褪せを防止することができる。
【００１４】
また、請求項２に記載の展示用シートによれば、貼着層が樹脂フィルム全面に形成されているため、展示用シートを展示物の大きさ、形等に合わせて切断するだけで、様々な広告、商品等に使用することができる。
【００１５】
さらに、請求項３に記載の展示用シートによれば、Ａ３、Ａ４、写真等の規格サイズに合わせて、樹脂フィルムの外周縁部に帯状の貼着層を形成すれば、粘着剤の塗布料を必要最小限におさえて、本考案に係る展示用シートを作成することができる。
【考案を実施するための最良の形態】
【００１６】
以下に本考案の実施の形態を図面を参照して詳細に説明する。図１（ａ）は本考案の一実施の形態に係る広告用ポスターを保護する展示用シート１０の正面図であり、図１（ｂ）は断面の模式図である。
【００１７】
本実施形態に係る展示用シート１０は、紫外線カット機能を有する透明な樹脂フィルムである紫外線カットフィルム１２の両面に、無色透明かつ被接着物の剥離が容易な粘着剤からなる貼着層１６を形成したものである。さらに、貼着層１６には、無色透明な貼着層保護シート１４が貼り付けられ、貼着層１６への埃等の付着による粘着力低下が防止される。なお、展示用シート１０は方形状でかつ展示物である広告用ポスターより大きく、また、紫外線カットフィルム１２は、基材となる透明フィルムに、紫外線カット機能を有するフィルムを積層したものでも良いし、フィルム自体が紫外線吸収剤を含有したものでも良い。
【００１８】
次に、上記の本実施形態に係る展示用シート１０を用いて、ポスター２０を、その裏面を背にして壁面等に貼り付け、展示する場合の斜視図を図２（ａ）に、断面の模式図を図２（ｂ）に示す。
【００１９】
図２（ｂ）に示すように、ポスター２０の裏面を背にして壁面２２に貼り付ける場合には、展示用シート１０の両面に貼り付けてある貼着層保護シート１４のうち、いずれか一方のみを剥がした後、展示用シート１０の貼着層１６と壁面２２の間にポスター２０を挟み込んで保持する。よって、展示用シート１０が脱落しない限り、ポスター１０が脱落することなく保持され、さらにポスターの表面に照射される紫外線を遮断し、ポスター２０の色褪せを防止することができる。
【００２０】
一方、ポスター２０を、その表面を背にして窓等に貼り付ける時に、本実施形態に係る展示用シート１０により保護する場合の斜視図を図３（ａ）に、断面の模式図を図３（ｂ）に示す。
【００２１】
図３（ｂ）に示すように、ポスター２０の表面を背にして窓ガラス３２に貼り付ける場合には、まず２枚の貼着層保護シート１４の両方を剥がし、一方の貼着層１６にポスター２０を貼付する。そしてもう一方の貼着層１６を利用して、窓ガラス３２に貼り付け展示する。このようにすることで、図３（ａ）に示すように窓ガラス３２から入ってくる紫外線を、窓ガラス３２とポスター２０の間に介在された展示用シート１０により遮断し、ポスター２０の色褪せを防止することができる。また、図には示してないが、剥がした貼着層保護シート１４の一枚を貼着されたポスター２０の裏面方向から展示用シート１０に再度貼り付け、ポスター２０を挟み込んで保護するとさらに好適である。
【００２２】
このように、ポスター２０の表面を背にして窓ガラス３２に貼り付ける場合には、図４に示したように、前述した紫外線カット機能を有する特許文献１に示される従来型の保護シート４０では、遮断できなかったポスターの表面に照射される紫外線が、本実施形態に係る展示用シート１０によれば、紫外線をカットしながら容易に展示可能となる。  
【００２３】
以上のように、本実施形態に係る展示用シート１０によれば、店外及び店内の壁面等にポスターの裏面を背にして貼り付ける場合だけでなく、店舗の窓ガラスを通じて、店内側からポスターの表面を背にして貼り付け展示する場合においても、展示物の表面を紫外線による色褪せから防止することができる。
【００２４】
以上、本考案の実施の形態について詳細に説明したが、本考案は上記実施の形態に何ら限定されるものではなく、本考案の要旨を逸脱しない範囲で種々の改変が可能である。
【００２５】
例えば、上記実施形態についてはポスターを展示物とした場合の展示用シートについて説明したが、展示物のサイズ、種類、材質等を問うものではない。また展示物は、方形状のものだけでなく、円形等、様々な形状にも適用可能である。さらに、ＣＤ、レコード等など立体的な商品も展示することが可能であり、付加価値の高いレコードなどを紫外線による色褪せから守りながら展示することも勿論可能である。
【００２６】
また、例えば展示物がＡ３、Ａ４、葉書等の規格サイズの場合には、紫外線カット樹脂フィルムをそれぞれの規格サイズに必要な大きさにしておき、その外周縁付近に規格サイズに応じた帯状の貼着層を構成すれば、必要最小限の粘着剤の使用で上記実施形態と同様の効果が得られる。
【図面の簡単な説明】
【００２７】
【図１】本考案の一実施形態に係る展示用シートの正面図、及び断面の模式図である。
【図２】展示物であるポスターの裏面を背にして壁面に貼り付けるときに、展示用シートで保護する場合の外観斜視図、及び断面の模式図である。
【図３】展示物であるポスターの表面を背にして窓ガラスに貼り付けるときに、展示用シートで保護する場合の外観斜視図、及び断面の模式図である。
【図４】従来型の保護シートで展示物を保護した場合の概略図である。
【図１】
0003121053.tif 000003
【図２】
0003121053.tif 000004
【図３】
0003121053.tif 000005
【図４】
0003121053.tif 000006